(57)【要約】【課題】異なる画角（アングル）の映像をひとつのファイルとして管理可能な記録装置を提供する。【解決手段】メインアングルとサブアングルが設定された状態で記録開始の指示があると、映像信号処理部１０４により、各アングル別に映像データが処理されて、デジタル信号処理部１０５に出力される。デジタル信号処理部１０５は、各アングルの映像信号をそれぞれ独立に圧縮符号化処理し、独立した映像データを生成する。そして、これら各アングルの映像データを一つのファイルとして記録媒体１０６に記録する。【選択図】図１
2008042331.tif 000002
【特許請求の範囲】
【請求項１】
予め決められた画角の第１の画像データを出力する撮像手段と、
前記撮像手段における撮影画面の一部の領域を拡大した拡大画像データを生成する拡大手段と、
前記撮像手段より出力された第１の画像データと、前記拡大画像データとを一つのファイルとして記録媒体に記録する記録手段とを備えることを特徴とする記録装置。
【請求項２】
前記撮影画面のうち、拡大すべき一部の領域を任意に指定する指定手段を備えることを特徴とする請求項１記載の記録装置。
【請求項３】
前記指定手段は、複数の前記一部の領域を指定可能であり、前記拡大手段は前記指定手段により指定された複数の一部の領域の拡大画像データをそれぞれ生成し、前記記録手段は前記第１の画像データと前記複数の拡大画像データとを一つのファイルとして記録することを特徴とする請求項１記載の記録装置。
【請求項４】
前記第１の画像データと前記拡大画像データの情報量をそれぞれ圧縮する圧縮手段を備え、前記指定手段は更に、前記第１の画像データと拡大画像データの情報量を独立に設定可能であることを特徴とする請求項２記載の記録装置。
【発明の詳細な説明】
【技術分野】
【０００１】
本発明は、撮像手段より出力された画像データを記録媒体に記録する記録装置に関する。
【背景技術】
【０００２】
従来、画像を撮影してテープやディスク媒体に記録するビデオカメラが知られている。そして、近年では、ＣＣＤなどの撮像素子の多画素化が進み、ビデオカメラにおいても高画質な映像の撮影、記録が可能となっている。
【０００３】
この様な撮像素子の多画素化に伴い、異なる領域の映像を個別のファイルとして記録するビデオカメラが知られている（例えば、特許文献１参照）。
【特許文献１】特開２００４−１８７１２４号公報
【発明の開示】
【発明が解決しようとする課題】
【０００４】
しかしながら、上記従来技術においては、複数の画角の映像データを一つのファイルとして記録することはできず、ひとつのファイルとして記録するために必要な複数の画角のデータ量を設定する方法も確立されていなかった。
【０００５】
本発明の目的は、異なる画角（アングル）の映像をひとつのファイルとして管理可能な記録装置を提供することにある。
【課題を解決するための手段】
【０００６】
上記目的を達成するために、請求項１記載の記録装置は、予め決められた画角の第１の画像データを出力する撮像手段と、前記撮像手段における撮影画面の一部の領域を拡大した拡大画像データを生成する拡大手段と、前記撮像手段より出力された第１の画像データと、前記拡大画像データとを一つのファイルとして記録媒体に記録する記録手段とを備えることを特徴とする。
【発明の効果】
【０００７】
本発明の記録装置は、撮像手段より出力された第１の画像データと、拡大画像データとを一つのファイルとして記録媒体に記録する記録手段を備えるので、異なる画角（アングル）の映像をひとつのファイルとして管理することができる。
【発明を実施するための最良の形態】
【０００８】
以下、本発明の実施の形態を図面を参照しながら詳細に説明する。
【０００９】
図１は、本発明の実施の形態に係る記録装置としてのビデオカメラのブロック構成を概略的に示す図である。
【００１０】
図１において、ビデオカメラは、レンズ１０１、レンズ１０１からの映像情報を電圧に変換する撮像素子１０２、撮像素子１０２からのアナログ映像信号をデジタル信号に変換する映像信号アナログ・デジタル変換器１０３を備える。
【００１１】
また、ビデオカメラは、アナログ・デジタル変換器１０３でデジタル変換された映像信号に対して所定の信号処理を行い、規格化された映像信号に変換する映像信号処理装置１０４を備える。
【００１２】
また、ビデオカメラは、映像信号処理装置１０４で各種処理が行われた映像信号を、ビデオテープ等に記録するのに適した信号に変換するデジタル信号処理装置１０５、デジタルビデオテープ等の記録媒体１０６を備える。
【００１３】
また、ビデオカメラは、ＬＣＤ等の、記録・再生時の画像や、記録・再生時に必要な情報を表示する主表示装置１０７、ファインダー等の、記録・再生時の画像や、記録・再生時に必要な情報を表示する表示装置１０８を備える。
【００１４】
また、ビデオカメラは、表示装置１０８を制御するための表示装置制御装置１０９、ビデオカメラシステム全体を総合的に制御するためのマイクロプロセッサユニット１１０、メモリ等の記録媒体１１１を備える。
【００１５】
また、ビデオカメラは、ビデオカメラ本体機能を設定・使用するためのメカスイッチ（十字キー）１１２、レンズズーム等を制御・使用するためのメカスイッチ（ズームキー）１１３を備える。
【００１６】
図２は、図１のビデオカメラによって実行されるマルチアングルモード処理の手順を示すフローチャートである。
【００１７】
本処理は、図１におけるマイクロプロセッサ１１０によって実行される。
【００１８】
また、図３は、図２のサブアングル設定処理時の表示例を示す図である。また、図４は、図２のビットレート設定処理時の表示例を示す図である。また、図５は、図２のマルチアングル撮影処理時の表示例を示す図である。
【００１９】
図２において、撮影モードが起動すると、まず、マルチアングルモードに移行する（ステップＳ２０１）。マルチアングルモード移行時、まずデジタルズームを用いないメインアングルを決定する（ステップＳ２０２、図３・表示３０１）。次に、デジタルズームを用いたサブアングル（拡大領域）の設定を行う（ステップＳ２０３、図３・表示３０２）。
【００２０】
ひとつめのサブアングル（サブアングル１）の設定を行う際には（ステップＳ２０４、図３・表示３０２）、メインアングルの画角を示すメインアングルフレーム（図３・表示３０３）を表示する。そして、その内側に現在設定中のサブアングル１の画角を示すサブアングル１フレーム（図３・表示３０４）を表示することで、メインアングルにおけるサブアングル１の位置関係を簡易的にユーザーに表示する。
【００２１】
ここで、
（１）主表示装置１０７、あるいは表示装置１０８に設定中のサブアングル１の映像を拡大して表示する方法、
（２）主表示装置１０７に設定中のサブアングル１の映像を拡大して表示し、表示装置１０８にメインアングルの映像を表示する方法、
（３）主表示装置１０７にメインアングルの映像を表示し、表示装置１０８に設定中のサブアングル１の映像を拡大して表示する方法、
を、マルチアングルモード移行前、移行後を問わずにメニュー内で選択、設定することができる。
【００２２】
サブアングルは、アングルの大きさをズームキー１１３で、位置を十字キー１１２で設定する。サブアングル１の設定が終了すると、続けてサブアングルを追加するか否か選択する（ステップＳ２０５）。サブアングルを追加しない場合は、そのままサブアングルの設定を終了する（ステップＳ２０６）。サブアングルを追加する場合は、続けて次のサブアングルの設定に移行する（ステップＳ２０４、図３・表示３０５）。
【００２３】
ふたつ目のサブアングル（サブアングル２）の設定を行う際には、メインアングルの画角を示すメインアングルフレーム（図３・表示３０８）を表示する。そして、その内側に表示３０２にて設定したサブアングル１の画角を示すサブアングル１フレーム（図３・表示３０６）、並びに現在設定中のサブアングル２の画角を示すサブアングル２フレーム（図３・表示３０７）を表示する。
【００２４】
このようにして、メインアングルにおけるサブアングル２の位置関係、並びにサブアングル１とサブアングル２の位置関係を簡易的にユーザーに表示する。
【００２５】
ここで、サブアングルとメインアングルの、主表示装置１０７、あるいは表示装置１０８への表示方法は、上述の通りである。
【００２６】
サブアングル２の設定が終了すると、サブアングル１の場合と同様に、続けてサブアングルを追加するか否かを選択する（ステップＳ２０５）。サブアングルを追加しない場合は、そのままサブアングルの設定を終了する（ステップＳ２０６）。
【００２７】
サブアングルを追加する場合は、続けて次のサブアングルの設定に移行し（ステップＳ２０４、図３・表示３０５）、以下同様に、記録媒体１０６が規定する数のサブアングルを設定することができる。
【００２８】
サブアングルの設定終了後、各アングルのビットレートを設定するため、図４に示す表示画面に移行する（ステップＳ２０７、図４）。図４の符号４０１乃至０３に各アングルを分割して表示する表示例を示す。また、図４の符号４０４乃至４０６に各アングルのビットレートの表示例を示す。
【００２９】
任意のアングル数に応じて、表示画面、ビットレートを任意の数に分割して表示を行う。十字キー１１２の左右で各アングルを選択し、十字キー１１２の上下でビットレートの増減を設定する。以上の手順を行うことで撮影前の手順が終了し、任意のタイミングで、マルチアングル撮影を開始し（ステップＳ２０８）、記録媒体１０６への記録を行う（ステップＳ２０９）。
【００３０】
記録時の表示例を図５に示す（図５・表示５０１）。主表示装置１０７に示すメインアングルフレームを表示し（図５・表示５０２）、メインアングルフレームの内側に各サブアングルフレームを示す。
【００３１】
また、十字キー１１２の上下で主表示装置１０７と表示装置１０８の選択の切り替えを行い、十字キー１１２の左右で各表示装置において表示をするアングルの選択を行う表示方法を選択、設定することができる。
【００３２】
主表示装置１０７にメインアングルを表示し（図５・表示５０３）、各サブアングルの画角をそれぞれ表示する（図５・表示５０４、５０５）。その際に表示装置１０８に各サブアングルを表示し、十字キー１１２の左右で表示装置１０８に表示する各サブアングルの選択を行う表示方法を選択、設定することができる。
【００３３】
主表示装置１０７にメインアングル（図５・表示５０３）、各サブアングルを縮小して表示し（図５・表示５０７、５０８）、その際に表示装置１０８に各サブアングルを表示する。そして、十字キー１１２の左右で表示装置１０８に表示する各サブアングルの選択を行う表示方法を選択、設定することができる。
【００３４】
上記各表示方法は、マルチアングルモード移行前、移行後を問わずにメニュー内で選択、設定することができる。記録終了後、本処理を終了して、通常の撮影モードに移行する。
【００３５】
本実施形態では、この様にメインアングルとサブアングルが設定された状態で記録開始の指示があると、映像信号処理部１０４により、各アングル別に映像データが処理されて、デジタル信号処理部１０５に出力される。デジタル信号処理部１０５は、各アングルの映像信号をそれぞれ独立に圧縮符号化処理し、独立した映像データを生成する。そして、これら各アングルの映像データを一つのファイルとして記録媒体１０６に記録する。
【図面の簡単な説明】
【００３６】
【図１】本発明の実施の形態に係る記録装置としてのビデオカメラのブロック構成を概略的に示す図である。
【図２】図１のビデオカメラによって実行されるマルチアングルモード処理の手順を示すフローチャートである。
【図３】図２のサブアングル設定処理時の表示例を示す図である。
【図４】図２のビットレート設定処理時の表示例を示す図である。
【図５】図２のマルチアングル撮影処理時の表示例を示す図である。
【符号の説明】
【００３７】
１０２  撮像素子
１０４  映像信号処理部
１０５  デジタル信号処理部
１０６  記録媒体
１０７  主表示装置
１０８  表示装置
１０９  表示装置制御装置
１１０  マイクロプロセッサ
１１２  十字キー
１１３  ズームキー
【図１】
2008042331.tif 000003
【図２】
2008042331.tif 000004
【図３】
2008042331.tif 000005
【図４】
2008042331.tif 000006
【図５】
2008042331.tif 000007